(57)【要約】【課題】証明写真の撮影に用いても、画像の鮮明さを損なったり赤目現象を発生させたりすることなく、一回の撮影で、陰影を目立たなくする。【解決手段】フラッシュ１２が発する閃光が被写体に照射された際に生ずる陰影を目立たなくするための無影撮像部材２０を備え、無影撮像部材２０は、フラッシュ１２が発する閃光を受けるとともに、閃光中心軸と一致する受光中心軸を有する受光部２１と、受光部２１が受けた閃光を放つとともに、放光中心軸が撮像レンズ１１の光学軸を通る鉛直平面上で、撮像レンズ１１の光学軸から離れて位置する放光部２２と、受光部２１が受けた閃光を放光部２２に導く導光部２３とを備える。【選択図】図１
2009151036.tif 000002
【特許請求の範囲】
【請求項１】
被写体の像光を撮像する撮像レンズの光学軸と、被写体を照射する閃光装置の閃光中心軸とがずれて配置された撮像装置に取付け可能であり、前記閃光装置が発する閃光が被写体に照射された際に生ずる陰影を目立たなくするための無影撮像部材であって、
前記閃光装置が発する閃光を受ける受光部と、
前記受光部が受けた閃光を放つ放光部と、
前記受光部が受けた閃光を前記放光部に導く導光部と、
前記受光部の受光中心軸が前記閃光装置の閃光中心軸に一致し、前記放光部の放光中心軸が前記撮像レンズの光学軸を通る鉛直平面上で、前記撮像レンズの光学軸から離れて位置するように前記撮像装置に固定するための固定手段と
を備えることを特徴とする無影撮像部材。
【請求項２】
請求項１に記載の無影撮像部材において、
前記導光部は、
光を透過させることが可能な導光部材と、
光を反射させることが可能であり、前記導光部材の周囲の少なくとも一部を覆うように配置された反射部材と
を備えることを特徴とする無影撮像部材。
【請求項３】
請求項１に記載の無影撮像部材において、
前記導光部は、光を反射させることが可能な左右一対の反射部材を備え、
各前記反射部材は、前記受光部の受光中心軸及び前記放光部の放光中心軸の両側に位置するように左右方向に傾斜して配置されている
ことを特徴とする無影撮像部材。
【請求項４】
請求項１に記載の無影撮像部材において、
前記放光部は、少なくとも鉛直方向の寸法が前記受光部よりも大きく形成されており、
前記導光部は、前記受光部から前記放光部に向けて、少なくとも鉛直方向の寸法が連続的に大きくなるように形成されている
ことを特徴とする無影撮像部材。
【請求項５】
被写体の像光を撮像する撮像レンズの光学軸と、被写体を照射する閃光装置の閃光中心軸とのずれによる陰影の発生を抑制可能な無影撮像装置であって、
前記閃光装置が発する閃光が被写体に照射された際に生ずる陰影を目立たなくするための無影撮像部材を備え、
前記無影撮像部材は、
前記閃光装置が発する閃光を受けるとともに、閃光中心軸と一致する受光中心軸を有する受光部と、
前記受光部が受けた閃光を放つとともに、放光中心軸が前記撮像レンズの光学軸を通る鉛直平面上で、前記撮像レンズの光学軸から離れて位置する放光部と、
前記受光部が受けた閃光を前記放光部に導く導光部と
を備えることを特徴とする無影撮像装置。
【請求項６】
被写体の像光を撮像する撮像レンズの光学軸と、被写体を照射する閃光装置の閃光中心軸とのずれによる陰影の発生を抑制可能な無影撮像システムであって、
前記撮像レンズによって撮像される被写体を表示する表示装置と、
前記撮像レンズによって撮像された被写体を印画する印画装置と、
前記閃光装置が発する閃光が被写体に照射された際に生ずる陰影を目立たなくするための無影撮像部材と
を備え、
前記無影撮像部材は、
前記閃光装置が発する閃光を受けるとともに、閃光中心軸と一致する受光中心軸を有する受光部と、
前記受光部が受けた閃光を放つとともに、放光中心軸が前記撮像レンズの光学軸を通る鉛直平面上で、前記撮像レンズの光学軸から離れて位置する放光部と、
前記受光部が受けた閃光を前記放光部に導く導光部と
を備えることを特徴とする無影撮像システム。
【請求項７】
請求項６に記載の無影撮像システムにおいて、
被写体よりも後ろ側に配置され、被写体よりも前側に配置された前記閃光装置に同調して被写体の後ろ側に向けて閃光を発する影消し装置を備える
ことを特徴とする無影撮像システム。
【発明の詳細な説明】
【技術分野】
【０００１】
本発明は、被写体の像光を撮像する撮像レンズの光学軸と、被写体を照射する閃光装置の閃光中心軸とのずれによる陰影の発生を抑制する無影撮像部材、無影撮像装置、及び無影撮像システムに係るものである。すなわち、閃光装置が発する閃光が被写体に照射された際に生ずる陰影を目立たなくするようにした技術に関するものである。
【背景技術】
【０００２】
本人であることを証明したり認知したりする手段として、従来から、免許証、パスポート、会員証、又は履歴書等が広く用いられている。そして、免許証等には、証明写真が貼り付けられるが、この証明写真は、プロのカメラマンが照明機材やカメラ機材を操作して撮影を行う写真スタジオに依頼したり、被写体となるユーザ自身が案内に沿って簡単な操作を行い、短時間で撮影を完了できる自販機（証明写真ボックス）を利用する等によって作成することが一般的となっている。
【０００３】
一方、近年では、撮像装置としてデジタルカメラを使用し、証明写真専用のプリンタをデジタルカメラに直結したデジタル証明写真システムが登場している。このデジタル証明写真システムは、安価で容易に撮像設備を構築できるので、写真専門店のみならず、会社や学校、商店等の様々な場所での導入が期待されている。そして、デジタル証明写真システムのモニタには、被写体（顔）の位置や大きさの目安となるガイドラインが表示されるので、ユーザは、そのガイドラインに合わせて自身を撮影することで、撮影に不慣れであっても簡単に各種の証明写真を作成することが可能となっている。
【０００４】
ところが、デジタル証明写真システムを構成するデジタルカメラの選択によっては、作成された証明写真への陰影の写り込みが顕著となる場合がある。すなわち、デジタルカメラの中には、小型化の要望や赤目現象の発生防止に対する配慮等から、被写体の像光を撮像する撮像レンズの光学軸と、被写体を照射するフラッシュ（閃光装置）の閃光中心軸とを横方向にずらして配置したものがあり、このタイプのデジタルカメラを採用した場合には、フラッシュが発する閃光が被写体に対して側方から照射されることとなるので、被写体の陰影が目立ってしまう。そして、証明写真においては、画像が鮮明でないものはもちろん、余計な背景や影がある写真等が規定外とされるケースがあるので、このような陰影の発生は問題である。
【０００５】
図６は、一般的なコンパクトデジタルカメラ１００を使用して被写体（顔）を撮影した場合の陰影の発生を示す説明図である。
図６（ａ）に示すように、一般的なコンパクトデジタルカメラ１００は、小型化等のため、撮像レンズ１０１の光学軸とフラッシュ１０２（閃光装置）の閃光中心軸とが横方向にずれて配置されている。そのため、撮像レンズ１０１の光学軸を被写体（顔）の中心に合わせると、フラッシュ１０２の閃光中心軸が被写体（顔）の中心から横方向にずれてしまう。
【０００６】
このように、撮像レンズ１０１の光学軸とフラッシュ１０２の閃光中心軸とをずらして配置することは、赤目現象の発生防止には効果的であるが、フラッシュ１０２が発する閃光が被写体（顔）に対して側方から照射されることとなる。すると、被写体（顔）の後方には、撮像レンズ１０１に対してフラッシュ１０２が配置されている側と反対側（フラッシュ１０２と被写体（顔）との間の角度が大きい側）に大きな影ができることとなる。そのため、図６（ｂ）に示すように、一般的なコンパクトデジタルカメラ１００で被写体（顔）を撮影すると、陰影が目立って写る結果となってしまう。そして、被写体（顔）の陰影が目立つ画像は、証明写真として相応しいものではない。
【０００７】
そこで、このような陰影発生の問題に関し、以下のような技術が開示されている。すなわち、撮像レンズから撮像面にいたる光路中にハーフミラーを設置し、フラッシュが発する閃光の少なくとも一部がハーフミラーで反射して撮像レンズを通して外部に放射されるようにした技術である。この技術によれば、撮像レンズの光学軸とフラッシュの閃光中心軸とが一致するので、陰影の発生が防止される（例えば、特許文献１参照）。
【特許文献１】特開平２−２１０３３６号公報
【０００８】
また、フラッシュを使用せずに撮影した画像と、フラッシュを使用して撮影した画像とをそれぞれ画像記憶部に記憶し、これらの記憶画像から影の位置を判定し、影の除去を行うようにした技術が知られている（例えば、特許文献２参照）。
【特許文献２】特開２００３−１６９２４６号公報
【０００９】
さらにまた、フラッシュが発する閃光を導き入れる光導入口と、導き入れられた光を撮像レンズの周りから放射する放射面とを有する導光放射部を備えるようにし、接写（マクロ撮影）時に、被写体に対して均一な照明ができるようにした技術が知られている（例えば、特許文献３参照）。
【特許文献３】特開２００５−３２６７２０号公報
【発明の開示】
【発明が解決しようとする課題】
【００１０】
しかし、上記の特許文献１の技術では、撮像レンズの光学軸とフラッシュの閃光中心軸とを一致させるために、撮像レンズから撮像面にいたる光路中にハーフミラーを設置している。そのため、フラッシュが発する閃光（方射光）も撮像レンズから入る被写体の像光（入射光）も、その一部がハーフミラーで分岐されることとなり、撮影に使われる光（方射光及び入射光）が減衰してしまうので、画像の鮮明さが損なわれるという問題がある。しかも、ハーフミラーを設置するスペースが必要となるので、撮像装置が大型化するという問題もある。
【００１１】
また、上記の特許文献２の技術のように、記憶画像から影の位置を判定して陰影の除去を行う方法では、画像処理のための専用のメモリと高度なＣＰＵ（中央処理装置）を搭載する必要があるので、コストアップの要因となってしまう。しかも、陰影を検出するために、フラッシュの使用の有無が異なる２枚の画像を撮影する必要があるが、その撮影の間に被写体が動いてしまうと陰影の検出に悪影響を及ぼすので、撮影が難しい。
【００１２】
さらにまた、上記の特許文献３の技術は、導き入れられたフラッシュの閃光を撮像レンズの周りから放射するので、このような導光放射部をレンズ鏡筒部分に装着すると、撮像レンズの格納やズーム動作の際のレンズ鏡筒の伸縮が困難となってしまう。しかも、撮像レンズの周辺に設けられた各種センサが誤動作しないように、導光放射部の固定方法や装着位置の設計的な配慮が必要となる。加えて、撮像レンズの光学軸とフラッシュの閃光中心軸とが実質的に一致するようになるので、証明写真の撮影に用いた場合には、赤目現象を発生させる原因となる。なお、特許文献３の技術は、接写（マクロ撮影）時に、被写体に対して均一な照明ができるようにした技術であるから、そもそも証明写真の撮影に適用することが想定されていない。
【００１３】
したがって、本発明が解決しようとする課題は、証明写真の撮影に用いても、画像の鮮明さを損なったり赤目現象を発生させたりすることなく、一回の撮影で、陰影を目立たなくすることである。
【課題を解決するための手段】
【００１４】
本発明は、以下の解決手段により、上述の課題を解決する。
本発明の請求項１に記載の発明は、被写体の像光を撮像する撮像レンズの光学軸と、被写体を照射する閃光装置の閃光中心軸とがずれて配置された撮像装置に取付け可能であり、前記閃光装置が発する閃光が被写体に照射された際に生ずる陰影を目立たなくするための無影撮像部材であって、前記閃光装置が発する閃光を受ける受光部と、前記受光部が受けた閃光を放つ放光部と、前記受光部が受けた閃光を前記放光部に導く導光部と、前記受光部の受光中心軸が前記閃光装置の閃光中心軸に一致し、前記放光部の放光中心軸が前記撮像レンズの光学軸を通る鉛直平面上で、前記撮像レンズの光学軸から離れて位置するように前記撮像装置に固定するための固定手段とを備えることを特徴とする。
【００１５】
また、本発明の請求項５に記載の発明は、被写体の像光を撮像する撮像レンズの光学軸と、被写体を照射する閃光装置の閃光中心軸とのずれによる陰影の発生を抑制可能な無影撮像装置であって、前記閃光装置が発する閃光が被写体に照射された際に生ずる陰影を目立たなくするための無影撮像部材を備え、前記無影撮像部材は、前記閃光装置が発する閃光を受けるとともに、閃光中心軸と一致する受光中心軸を有する受光部と、前記受光部が受けた閃光を放つとともに、放光中心軸が前記撮像レンズの光学軸を通る鉛直平面上で、前記撮像レンズの光学軸から離れて位置する放光部と、前記受光部が受けた閃光を前記放光部に導く導光部とを備えることを特徴とする。
【００１６】
さらにまた、本発明の請求項６に記載の発明は、被写体の像光を撮像する撮像レンズの光学軸と、被写体を照射する閃光装置の閃光中心軸とのずれによる陰影の発生を抑制可能な無影撮像システムであって、前記撮像レンズによって撮像される被写体を表示する表示装置と、前記撮像レンズによって撮像された被写体を印画する印画装置と、前記閃光装置が発する閃光が被写体に照射された際に生ずる陰影を目立たなくするための無影撮像部材とを備え、前記無影撮像部材は、前記閃光装置が発する閃光を受けるとともに、閃光中心軸と一致する受光中心軸を有する受光部と、前記受光部が受けた閃光を放つとともに、放光中心軸が前記撮像レンズの光学軸を通る鉛直平面上で、前記撮像レンズの光学軸から離れて位置する放光部と、前記受光部が受けた閃光を前記放光部に導く導光部とを備えることを特徴とする。
【００１７】
（作用）
上記の請求項１、請求項５、及び請求項６に記載の発明は、閃光装置が発する閃光を受けるとともに、閃光中心軸と一致する受光中心軸を有する受光部と、受光部が受けた閃光を放つとともに、放光中心軸が撮像レンズの光学軸を通る鉛直平面上で、撮像レンズの光学軸から離れて位置する放光部と、受光部が受けた閃光を放光部に導く導光部とを備える無影撮像部材により、閃光装置が発する閃光が被写体に照射された際に生ずる陰影が目立たなくなる。
【発明の効果】
【００１８】
上記の発明によれば、放光部の放光中心軸が撮像レンズの光学軸を通る鉛直平面上にある無影撮像部材により、陰影の目立たない、光量バランスに優れた証明写真を撮影することが可能となる。すなわち、一回の撮影で、画像の鮮明さを損なうことなく、陰影を目立たなくすることができる。しかも、放光部の放光中心軸が撮像レンズの光学軸から離れて位置するので、赤目現象が発生しにくい。
【発明を実施するための最良の形態】
【００１９】
以下、図面を参照して、本発明の実施形態について説明する。
なお、以下の実施形態では、本発明の無影撮像装置の一実施形態として、無影撮像部材２０を備えるコンパクトデジタルカメラ１０を例に挙げている。また、本実施形態の無影撮像部材３０は、一般的なコンパクトデジタルカメラ１００に装着可能なものである。さらにまた、本実施形態の無影撮像システム４０は、本実施形態の無影撮像部材３０を装着した一般的なコンパクトデジタルカメラ１００を用いたものである。
【００２０】
図１は、本実施形態のコンパクトデジタルカメラ１０を示す平面図及び正面図である。
図１に示すように、本実施形態のコンパクトデジタルカメラ１０は、小型化等のため、撮像レンズ１１の光学軸とフラッシュ１２（本発明における閃光装置に相当するもの）の閃光中心軸とが横方向にずれて配置されている。そして、フラッシュ１２を覆うようにして無影撮像部材２０が取り付けられている。
【００２１】
ここで、無影撮像部材２０は、フラッシュ１２が発する閃光を受ける受光部２１と、受光部２１が受けた閃光を放つ放光部２２と、受光部２１が受けた閃光を放光部２２に導く導光部２３とを備えている。そして、図１（ａ）に示すように、受光部２１の受光中心軸がフラッシュ１２の閃光中心軸に一致し、放光部２２の放光中心軸が撮像レンズ１１の光学軸を通る鉛直平面上で、撮像レンズ１１の光学軸から離れて位置している。すなわち、受光部２１の受光中心軸がフラッシュ１２の閃光中心軸と上下方向及び左右方向で一致するとともに、放光部２２の放光中心軸が撮像レンズ１１の光学軸と左右方向において一致（ただし、上下方向は不一致）するように、導光部２３が左右方向に傾斜（本実施形態では、４５°傾斜）した形状となっている。
【００２２】
また、導光部２３は、光を透過させることが可能な光透過性の樹脂から形成された導光部材２３ａと、光を反射させることが可能な反射部材２３ｂとによって構成されている。そして、フラッシュ１２が発する閃光を受ける受光部２１からその閃光を放つ放光部２２まで角筒状に長く伸びる導光部材２３ａに対し、反射部材２３ｂは、導光部材２３ａの周囲の少なくとも一部（本実施形態では、左右の側面）を覆うように配置された左右一対のものとなっている。なお、本実施形態では、導光部材２３ａとして、ポリカーボネートを採用し、耐衝撃性等に配慮している。一方、反射部材２３ｂとしては、アルミ箔（アルミ板）や鏡等を使用することができる。
【００２３】
このように、無影撮像部材２０は、フラッシュ１２が発する閃光を受けるとともに、閃光中心軸と一致する受光中心軸を有する受光部２１と、受光部２１が受けた閃光を放つとともに、放光中心軸が撮像レンズ１１の光学軸を通る鉛直平面上で、撮像レンズ１１の光学軸から離れて位置する放光部２２（図１（ｂ）参照）と、受光部２１が受けた閃光を放光部２２に導く導光部２３とから構成されている。そして、導光部２３は、反射部材２３ｂが導光部材２３ａの左右の側面を覆っており、左右方向に光が漏れないようにするとともに、受光部２１の受光中心軸及び放光部２２の放光中心軸の両側に位置するように左右方向に４５°傾斜している。
【００２４】
したがって、本実施形態のコンパクトデジタルカメラ１０は、フラッシュ１２が発する閃光が無影撮像部材２０の反射部材２３ｂによって図１（ａ）に示す矢印のように反射され、図１（ｂ）に示すように、フラッシュ１２の閃光が撮像レンズ１１の真上に位置する放光部２２から放射されるようになる。その結果、フラッシュ１２の閃光が被写体に照射された際に生ずる陰影が目立たなくなる。
【００２５】
図２は、本実施形態のコンパクトデジタルカメラ１０を使用して被写体（顔）を撮影した場合の陰影の抑制効果を示す説明図である。
図２（ａ）に示すように、本実施形態のコンパクトデジタルカメラ１０は、無影撮像部材２０の放光部２２の放光中心軸が撮像レンズ１１の光学軸を通る鉛直平面上にあることから、フラッシュ１２の閃光が撮像レンズ１１の真上から放射される。そのため、撮像レンズ１１の光学軸を被写体（顔）の中心に合わせれば、フラッシュ１２の閃光が被写体（顔）の中心に向けて放射されることとなる。
【００２６】
したがって、本実施形態のコンパクトデジタルカメラ１０では、フラッシュ１２の閃光が被写体（顔）の真正面から照射されるようになるので、被写体（顔）の後方に若干の陰影を生じるが、図２（ｂ）に示すように、撮像レンズ１１側から確認できる陰影はわずかなものとなる。その結果、陰影がほとんど目立たない適切な光量バランスの証明写真を撮影することが可能となる。
【００２７】
また、本実施形態のコンパクトデジタルカメラ１０に取り付けられた無影撮像部材２０は、受光したフラッシュ１２の閃光を効率よく導光するために、図１に示すように、導光部材２３ａと反射部材２３ｂとを併用している。そして、反射部材２３ｂは、上下左右の光量バランスを適正な状態とするために、導光部材２３ａの左右の側面のみに配置され、上下の側面には配置されていない。
【００２８】
したがって、導光部材２３ａの左右方向には光が漏れないが、上下方向には光が適度に漏れるので、上下方向の光量不足が補われることとなり、自然な感じの証明写真に仕上げることができる。しかも、放光部２２の放光中心軸は、撮像レンズ１１の光学軸と上下方向に離れて位置しているので、赤目現象の発生が防止される。
【００２９】
図３は、一般的なコンパクトデジタルカメラ１００に装着可能な本実施形態の無影撮像部材３０を示す正面図である。
また、図４は、本実施形態の無影撮像部材３０を示す平面図及び側面図である。
図３（ａ）に示すように、一般的なコンパクトデジタルカメラ１００は、小型化等のため、撮像レンズ１０１とフラッシュ１０２とが横方向にずれて配置されている。
【００３０】
しかしながら、図３（ｂ）及び図４に示すように、本実施形態の無影撮像部材３０は、このような一般的なコンパクトデジタルカメラ１００に装着できるものである。そして、無影撮像部材３０の装着により、受光部３１の受光中心軸がフラッシュ１０２の閃光中心軸と上下方向及び左右方向で一致し、放光部３２の放光中心軸が撮像レンズ１０１の光学軸と左右方向において一致（ただし、上下方向は不一致）するようになる。
【００３１】
すなわち、本実施形態の無影撮像部材３０は、フラッシュ１０２が発する閃光を受ける受光部３１と、受光部３１が受けた閃光を放つ放光部３２と、受光部３１が受けた閃光を放光部３２に導く導光部３３（導光部材３３ａ及び反射部材３３ｂ）と、無影撮像部材３０をコンパクトデジタルカメラ１００に固定するためのブラケット３４（本発明における固定手段に相当するもの）とを備えている。そして、ブラケット３４によって無影撮像部材３０をコンパクトデジタルカメラ１００に固定すれば、受光部３１の受光中心軸は、フラッシュ１０２の閃光中心軸に一致し、放光部３２の放光中心軸は、撮像レンズ１０１の光学軸を通る鉛直平面上で、撮像レンズ１０１の光学軸から離れて位置するようになる。
【００３２】
このように、本実施形態の無影撮像部材３０は、一般的なコンパクトデジタルカメラ１００を証明写真の撮影等に使用する際に、ブラケット３４によってコンパクトデジタルカメラ１００に取付け可能なものである。そして、無影撮像部材３０を装着したコンパクトデジタルカメラ１００は、フラッシュ１０２が発する閃光が無影撮像部材３０の反射部材３３ｂによって図４（ａ）に示す矢印のように反射され、図３（ｂ）及び図４（ｂ）に示すように、フラッシュ１０２の閃光が撮像レンズ１０１の真上に位置する放光部３２から放射されるようになるので、フラッシュ１０２の閃光が被写体に照射された際に生ずる陰影が目立たなくなる。
【００３３】
また、導光部３３は、光を透過させることが可能な光透過性の樹脂から形成された導光部材３３ａと、光を反射させることが可能な反射部材３３ｂとによって構成されている。そして、フラッシュ１０２が発する閃光を受ける受光部３１からその閃光を放つ放光部３２まで角筒状に長く伸びる導光部材３３ａに対し、反射部材３３ｂは、導光部材３３ａの周囲の左右の側面に配置されている。さらにまた、放光部３２は、鉛直方向の寸法が受光部３１よりも大きく形成されているので、導光部３３は、図３（ｂ）及び図４（ｂ）に示すように、受光部３１から放光部３２に向けて、鉛直方向の寸法が連続的に大きくなったホーン形状となっている。
【００３４】
したがって、本実施形態の無影撮像部材３０によれば、ホーン形状の導光部３３によって導光量が増えることとなるので、多くの証明写真に用いられる縦長の構図に対し、好適な光量バランスでフラッシュ１０２の閃光を照射できるようになる。しかも、放光部３２の放光中心軸は、撮像レンズ１０１の光学軸と上下方向に離れて位置しているので、赤目現象の発生が防止される。
【００３５】
図５は、本実施形態の無影撮像システム４０を示す側面図である。
図５に示すように、本実施形態の無影撮像システム４０は、図３及び図４に示す本実施形態の無影撮像部材３０を装着した一般的なコンパクトデジタルカメラ１００を用いたものである。すなわち、コンパクトデジタルカメラ１００は、証明写真の撮影の他に、通常の撮影用としても十分に使用できるものであり、小型化や赤目防止等に対する配慮から、撮像レンズ１０１（図３参照）の光学軸とフラッシュ１０２（図３参照）の閃光中心軸とが横方向にずれて配置されている。
【００３６】
そこで、このコンパクトデジタルカメラ１００を用いて無影撮像システム４０を構成するために、コンパクトデジタルカメラ１００に、無影撮像部材３０を装着している。この無影撮像部材３０は、図３及び図４に示すように、ブラケット３４によってコンパクトデジタルカメラ１００に取付け可能なものであり、無影撮像部材３０をコンパクトデジタルカメラ１００に固定すると、受光部３１の受光中心軸がフラッシュ１０２の閃光中心軸に一致し、放光部３２の放光中心軸が撮像レンズ１０１の光学軸を通る鉛直平面上で、撮像レンズ１０１の光学軸から離れて位置するようになる。
【００３７】
また、本実施形態の無影撮像システム４０は、無影撮像部材３０を装着したコンパクトデジタルカメラ１００に加え、モニタ４１（本発明における表示装置に相当するもの）、プリンタ４２（本発明における印画装置に相当するもの）、及び影消しフラッシュ４３（本発明における影消し装置に相当するもの）を備えている。
【００３８】
ここで、モニタ４１は、被写体（顔）の写りを確認するためのものであり、位置や大きさの目安となるガイドラインが表示されるようになっている。そのため、ガイドラインに被写体（顔）の頭や顎等を合わせれば、適正な位置や大きさで、簡単に撮影が行えるようになる。なお、モニタ４１は、必要に応じて無影撮像システム４０に組み込めば良いものである。
【００３９】
また、プリンタ４２は、デジタルカメラ１００と直接的な接続が可能となっており、パソコン等を介することなく、撮像データの転送や各種の指令のための通信が可能なものである。そのため、コンパクトデジタルカメラ１００によって撮影した後、コンパクトデジタルカメラ１００側の操作ボタンで画像やサイズを選択し、プリントを指示すれば、所望のプリントパターンに当てはめられた証明写真を作成することができる。なお、図５に示す無影撮像システム４０では、プリンタ４２が１台となっているが、大量撮影、大量プリントを必要とするケースにおいては、複数台のプリンタ４２をコンパクトデジタルカメラ１００に接続して対応することもできる。
【００４０】
さらにまた、影消しフラッシュ４３は、被写体よりも後ろ側に配置され、被写体よりも前側に配置されたコンパクトデジタルカメラ１００のフラッシュ１０２（図３参照）に同調して被写体の後ろ側に向けて閃光を発するものである。すなわち、本実施形態の無影撮像システム４０は、コンパクトデジタルカメラ１００に装着された無影撮像部材３０により、フラッシュ１０２の閃光が被写体に照射された際に生ずる陰影が目立たなくなるだけでなく、上下左右の光量バランスが最適なものとなるが、陰影が消えるわけではない。そこで、影消しフラッシュ４３の閃光によって陰影の発生を完全に防止できるようにしている。なお、影消しフラッシュ４３は、必要に応じて無影撮像システム４０に組み込めば良いものである。
【００４１】
このように、本実施形態の無影撮像システム４０は、一般的なコンパクトデジタルカメラ１００を使用して、陰影の目立たない、光量バランスに優れた証明写真を撮影することが可能となっている。すなわち、証明写真の撮影に用いる専用のカメラは、被写体の陰影を目立たなくするために、フラッシュの閃光中心軸の配置や光量に制約が生ずるので、特殊で大型化する傾向にあった。一方、一般的なコンパクトデジタルカメラ１００は、小型化や赤目防止等を優先的に配慮したものとなっているので、撮像レンズ１０１（図３参照）の光学軸とフラッシュ１０２（図３参照）の閃光中心軸とが横方向にずれて配置されており、陰影が生じやすいことから、証明写真の撮影には不向きなものであった。
【００４２】
そこで、本実施形態の無影撮像システム４０では、一般的なコンパクトデジタルカメラ１００に無影撮像部材３０を装着し、放光部３２（図４参照）の放光中心軸が撮像レンズ１０１（図４参照）の光学軸と左右方向において一致するようにしている。そのため、陰影の目立たない証明写真を撮影することが可能なものとなっている。また、放光部３２の放光中心軸と撮像レンズ１０１の光学軸とは、上下方向に適度にずれているので、赤目現象が発生しにくいものである。
【００４３】
以上、本発明の実施形態について説明したが、本発明は、上述した実施形態に限定されることなく、例えば、以下のような種々の変形が可能である。
（１）上述した実施形態では、本発明の無影撮像装置として、無影撮像部材２０を備えるコンパクトデジタルカメラ１０を例に挙げたが、コンパクトデジタルカメラ１０に限らず、撮像レンズ１１とフラッシュ１２とがずれて配置されたビデオカメラ等にも適用できる。
【００４４】
（２）また、上述した実施形態では、本発明の無影撮像部材３０を一般的なコンパクトデジタルカメラ１００に装着しているが、一般的なコンパクトデジタルカメラ１００に限らず、一般的なビデオカメラ等に装着可能な無影撮像部材３０としても良い。さらに、上述した実施形態では、本発明の無影撮像システム４０として、一般的なコンパクトデジタルカメラ１００に無影撮像部材３０を装着したものを使用しているが、無影撮像部材２０を備えるコンパクトデジタルカメラ１０を用いたシステムとすることもできる。
【図面の簡単な説明】
【００４５】
【図１】本実施形態のコンパクトデジタルカメラを示す平面図及び正面図である。
【図２】本実施形態のコンパクトデジタルカメラを使用して被写体（顔）を撮影した場合の陰影の抑制効果を示す説明図である。
【図３】一般的なコンパクトデジタルカメラに装着可能な本実施形態の無影撮像部材を示す正面図である。
【図４】本実施形態の無影撮像部材を示す平面図及び側面図である。
【図５】本実施形態の無影撮像システムを示す側面図である。
【図６】一般的なコンパクトデジタルカメラを使用して被写体（顔）を撮影した場合の陰影の発生を示す説明図である。
【符号の説明】
【００４６】
１０  コンパクトデジタルカメラ（無影撮像装置）
１１  撮像レンズ
１２  フラッシュ（閃光装置）
２０  無影撮像部材
２１  受光部
２２  放光部
２３  導光部
２３ａ  導光部材
２３ｂ  反射部材
３０  無影撮像部材
３１  受光部
３２  放光部
３３  導光部
３３ａ  導光部材
３３ｂ  反射部材
３４  ブラケット（固定手段）
４０  無影撮像システム
４１  モニタ（表示装置）
４２  プリンタ（印画装置）
４３  影消しフラッシュ（影消し装置）
１００  コンパクトデジタルカメラ（撮像装置）
１０１  撮像レンズ
１０２  フラッシュ（閃光装置）
【図１】
2009151036.tif 000003
【図２】
2009151036.tif 000004
【図３】
2009151036.tif 000005
【図４】
2009151036.tif 000006
【図５】
2009151036.tif 000007
【図６】
2009151036.tif 000008